(57)【特許請求の範囲】
【請求項１】
管理区域外に設置し操作者の操作に応じて第１の操作者データまたは第２の操作者データを出力する第１の操作器と、
管理区域への出入り口扉に設置した電気錠と、
操作者データを照合用データとして予め記憶しておき、前記第１の操作器から入力した操作者データと照合用データに基づき前記電気錠を解錠する制御装置とを有し、
前記制御装置は、
管理区域内の入室者数を記憶する入室者数記憶部を有し、
第１の操作器からの第１の操作者データが入力すると、当該第１の操作者データが照合用データと一致するか否かおよび入室者数記憶部に記憶している入室者数をもとに管理区域内が無人であるか否か判断し、
第１の操作者データと照合用データが一致し、かつ、管理区域が無人であった場合は予め設定された第１の所定時間の間第１の操作器からの第２の操作者データの入力を許容し、
第１の所定時間の間に第１の操作器から第２の操作者データが入力すると、当該第２の操作者データが第１の操作者データ以外の照合用データと一致するか否か判断し、
第２の操作者データが第１の操作者データ以外の照合用データと一致した場合は電気錠を解錠するとともに、入室者記憶部に記憶している入室者数に２を加算した入室者数を記憶させる
ことを特徴とする入退室管理システム。
【請求項２】
前記制御装置は、
第１の操作者データと照合用データが一致し、かつ、管理区域が無人でなかった場合は、電気錠を解錠するとともに、入室者記憶部に記憶している入室者数に１を加算した入室者数を記憶させる
ことを特徴とする請求項１記載の入退室管理システム。
【請求項３】
管理区域内に設置し操作者の操作に応じて第３の操作者データを出力する第２の操作器を設け、
前記制御装置は、
前記第２の操作器から入力した第３の操作者データと照合用データが一致すると電気錠を解錠するとともに、入室者記憶部に記憶している入室者数から１を減算した入室者数を記憶させ、
入室者数記憶部に記憶している入室者数をもとに管理区域内の入室者数を確認し、
管理区域内の入室者が１人の状態が予め設定された第２の所定時間継続した場合は、管理区域内に不正入室者がいると判断する
ことを特徴とする請求項１  または２  記載の入退室管理システム。
【発明の詳細な説明】
【０００１】
【発明の属する技術分野】
本発明は、貴重品を保管している管理区域内への入退室および不正残留者の有無を管理するための入退室管理システムに関するものである。
【０００２】
【従来技術】
従来、貴重品を保管している管理区域である部屋への入退室を管理する入退室管理システムでは、管理区域の出入り口付近にカードリーダやテンキー等の操作器を設置し、操作器に入力されたカードのデータや暗証番号等の操作者データをもとに入室者または退出者が正当な者であることを確認した後、出入り口扉に設けた電気錠を解錠させ、入退室できるようにしている。
【０００３】
【発明が解決しようとする課題】
しかしながら、上記従来の入退室管理システムでは、管理区域からの貴重品の不正な持出しを監視するため、管理者を常時管理区域の出入り口に配置しているため、人件費がかさむという問題があった。
また、管理区域内での不正な作業（機密情報の漏洩を目的としたデータのコピーやデータの改ざん等）を防止することができないという問題があった。
【０００４】
【課題を解決するための手段】
そこで、上記課題を解決するために本願発明の入退室管理システムでは、管理区域内に入室者がいない場合は２人以上でなければ入室できず、しかも管理区域内に入室者が１人だけしかいない状態が一定時間継続すると当該入室者をを不正残留者と判断するようにしている。
【０００５】
これにより、管理区域内に入室者が１人だけになることを防ぎ、入室者は他の入室者により常に行動を監視されることになるため、管理区域からの貴重品の不正な持出しおよび管理区域内での不正な作業を防止することができるとともに、貴重品の不正な持出しを監視するために管理区域の出入り口に管理者を配置する必要がないため、コストがかからないシステムを提供することができる。
【０００６】
また、管理区域内にすでに入室者がいる場合は、入室者は自分一人の照合を行えば管理区域に入室できるため、２人目以降の入室者については操作を簡略化することができる。
さらに、管理区域内に入室者が１人だけしかいない状態が一定時間継続した場合は不正残留者がいることを知らせるための警報を出力したり、管理区域内に当該入室者を閉じ込めることにより、管理区域内への不正残留を防ぐことができる。
【０００７】
【発明の実施の形態】
本願の入退室管理システムの実施の形態を図１のブロック図および図２、図３、図４のフローチャートを用いて説明する。
〔構  成〕
本発明の入退室管理システムのブロック図を図１に示す。
【０００８】
図１において、第１の操作器１は、管理区域外に設置され、操作者の操作に応じて操作者を識別するための操作者データを制御装置５へ出力する。
第２の操作器２は、管理区域内に設置され、操作者の操作に応じて操作者を識別するための操作者データを制御装置５へ出力する。
なお、本実施例では、当該第１の操作器１および第２の操作器２としてカードを使用し、カードに書き込まれた操作者データを読込み、当該操作者データを出力する場合を例に説明する。しかし、操作者データは操作者を識別できるものであればよいためこれに限定されるものではなく暗証番号や指紋などにしてもよい。また、使用する操作者データに応じて第１の操作器１および第２の操作器２をテンキーや指紋読取装置などにしてもよい。さらに、本実施例では、入退室者により挿入されたカードに書き込まれた操作者データを読み込むようにしているが、カードから送信される操作者データを非接触で受信するものを用いてもよい。この場合、例えば、１台の操作器内部に管理区域外のカードから送信される操作器データを受信するアンテナと、管理区域内のカードから送信される操作者データを受信するアンテナとをそれぞれ設ければ、カードから送信される操作者データが管理区域の内側と外側のどちらから受信したのかを１台の操作器で識別することができるため、管理区域の内外にそれぞれ操作器を設ける必要はなく、１台ん操作器を管理区域の出入り扉付近に設置すればよい。
【０００９】
また、複数の操作者データの組み合わせにより操作者を識別するようにしてもよい。
電気錠３は、管理区域への出入り口扉に設置され、制御装置５からの解錠信号が入力すると解錠状態となり、また、制御装置５からの施錠信号が入力すると施錠状態となる。
【００１０】
扉開閉検出手段４は、管理区域への出入り口扉が開放しているときは開信号を、出入り口扉が閉鎖しているときは閉信号をそれぞれ制御装置５へ出力する。
制御装置５は、制御部５１、第１のタイマ５２、第２のタイマ５３、照合用データ記憶部５４、入室者数記憶部５５から構成されている。
第１のタイマ５２は、制御部５１からの起動信号が入力すると起動し、予め設定されている時間（ここでは１０秒間とする。）をカウントするとタイムアップ信号を制御部５１へ出力する。また、制御部５１からのリセット信号が入力すると、カウントを中止しリセットする。
【００１１】
第２のタイマ５３は、制御部５１からの起動信号が入力すると起動し、予め設定されている時間（ここでは１分間とする。）をカウントするとタイムアップ信号を制御部５１へ出力する。また、制御部５１からのリセット信号が入力すると、カウントを中止しリセットする。
照合用データ記憶部５４は、予め管理区域への入退室が許可されている者の操作者データを照合用データとして記憶するとともに、制御部５１からの入室信号または退出信号の入力に応じて照合用データごとの入退室種別を記憶している。
【００１２】
入室者数記憶部５５は、制御部５１からの入室者数を記憶する。
制御部５１は、第１の操作器１からの操作者データが入力すると、当該操作者データが照合用データ記憶部５４に照合用データとして記憶されているか否かを判断する。操作者データが照合用データとして記憶されていた場合は、照合用データ記憶部５４に記憶している当該操作者データに対応する照合用データの入退室種別が退室であるか否かを判断する。照合用データの入退室種別が退室であった場合は、入室者数記憶部５５に記憶している入室者数が０であるか否かを判断する。入室者数が０であった場合は、第１のタイマ５２に起動信号を出力し、第１の操作器１  からの操作者データの入力待機状態になる。第１のタイマ５２からのタイムアップ信号が入力する前に第１の操作器１からの操作者データが入力すると、当該操作者データが先に入力した操作者データと一致せずかつ照合データ記憶部５４に照合用データとして記憶されているかいなかを判断する。操作者データが先に入力した操作者データと一致せずかつ照合用データとして記憶されていた場合は、当該照合用データの入退室種別が退室であるか否かを判断する。照合用データの入退室種別が退室であった場合は、電気錠３へ解錠信号を出力するとともに第１のタイマ１ヘリセット信号を出力する。その後、扉開閉検出手段４から開信号が入力した後閉信号が入力すると、電気錠３へ施錠信号を出力する。また、第１の操作器１から入力した２つの操作者データそれぞれに対応する照合用データの入退室種別を入室とするための入室信号を照合用データ記憶部５４へ出力するとともに、入室者数として２を出力し、さらに、第２のタイマ５３ヘリセット信号を出力する。
【００１３】
なお、第１の操作器１から最初の操作者データが入力したときに、入室者数記憶部５５に記憶している入室者数が０でなかった場合は、電気錠３へ解錠信号を出力する。その後、扉開閉検出手段４から開信号が入力した後閉信号が入力すると、電気錠３へ施錠信号を出力する。また、第１の操作器１から入力した操作者データに対応する照合用データの入退室種別を入室とするための入室信号を照合用データ記憶部５４へ出力するとともに、入室者数記憶部５５に記憶している入室者数に１を加算したものを入室者数として入室者数記憶部５５に出力し、さらに、第２のタイマ５３ヘリセット信号を出力する。
【００１４】
第２の操作器２からの操作者データが入力すると、当該操作者データが照合用データ記憶部５４に照合用データとして記憶されているかいなかを判断する。操作者データが照合用データとして記憶されていた場合は、照合用データ記憶部５４に記憶している当該操作者データに対応する照合用データの入退室種別が入室であるか否かを判断する。照合用データの入退室種別が入室であった場合は、電気錠３へ解錠信号を出力する。その後、扉開閉検出手段４から開信号が入力した後閉信号が入力すると、電気錠３へ施錠信号を出力する。また、第２の操作器２から入力した操作者データに対応する照合用データの入退室種別を退室とするための退室信号を照合用データ記憶部５４へ出力するとともに、入室者数記憶部５５に記憶している入室者敷から１を減算したものを入室者数として入室者数記憶部５５に出力する。そして、入室者数記憶部５５に記憶している入室者数を確認する。入室者数記憶部５５に記憶している入室者数が２人以上であった場合は、そのまま処理を終了するが、入室者数が１人であった場合は、第２のタイマ５３に起動信号を出力する。また、入室者数が０人であった場合は、第２のタイマ５３にリセット信号を出力するとともに、第２の操作器２からの操作者データの入力を禁止する。
【００１５】
第２のタイマ５３からタイムアップ信号が入力したときは、管理区域内に不正残留者がいると判断して送信装置６へ警報を出力する。
なお、本実施例では、管理区域内に不正残留者がいると判断した場合は、送信装置６および通信回線８を介して遠隔地にある監視センタに設置した監視装置へ送信するようにしているが、これに限定されるものではなく、同じ建物内にある管理室に設置した監視装置や操作器の付近に設けたランプやスピーカ等により不正残留者がいることを報知するようにしてもよい。
【００１６】
また、本実施例では、制御部５１は、電気錠３へ解錠信号を出力し電気錠３を解錠すると、扉開閉検出手段４から開信号が入力しさらに扉開閉検出手段４からの閉信号が入力するまで、電気錠３への施錠信号の出力を行わないようにしているが、これに限定されるものではない。例えば、制御装置５に、制御部５１からの起動信号が入力すると所定時間（例えば１０秒間）カウントを行い制御部５にタイムアップ信号を出力する第３のタイマ（図示しない。）を設ける。そして、制御部５１は、電気錠３へ解錠信号を出力する時に前記第３のタイマに起動信号を出力し、その後、第３のタイマがカウントを行っている間に扉開閉検出手段４からの開信号が入力しなければ、入室者または退室者が入室または退室しないものと判断し、第３のタイマからのタイムアップ信号が入力したときに電気錠３に施錠信号を出力し、電気錠３を施錠状態とした後、処理を終了するようにしてもよい。このようにすれば、入室者または退室者が、管理区域への入室または管理区域からの退室のために第１の操作器１または第２の操作器２により照合操作を行ったが、何らかの理由により入退室しなかった場合であっても、電気錠３を解錠してから所定時間経過すると電気錠３を施錠状態とするため、電気錠３が解錠状態のまま放置されることがなくなり、管理区域への不正な入退室を防止することができる。
【００１７】
送信装置６は、制御装置５からの警報が入力すると予め記憶している監視装置７との通信回線の接続動作を行い、通信回線８が接続されると当該通信回線８を介して警報を監視装置７へ送信する。
監視装置７は、通信回線８を介して送信装置６からの警報を受信すると、当該警報の受信を文字や図等により報知する。
【００１８】
〔動作〕
次に、図２、３、４のフローチャートを用いて本願発明の入退室管理システムの動作を説明する。
１  ．入室時の動作
（１）管理区域内に入室者がいない場合
管理区域への入室が認められている入室者は、予め配布されているカードを第１の操作器１に挿入する。
【００１９】
第１の操作器１は、挿入されたカードに書き込まれた操作者データを読取り、当該操作者データを制御装置５へ出力するとともに当該カードを排出する。
制御装置５の制御部５１は、第１の操作器１からの操作者データが入力すると（Ｓ１）、まず、当該操作者データが照合用データ記憶部５４に照合用データとして記憶されているか否かを判断する（Ｓ２０１）。操作者データが照合用データとして記憶されていなかった場合は、当該カードの所有者は入室を許可されていないと判断し、処理を終了する。
【００２０】
ステップ２０１で、操作者データが照合用データとして記憶されていた場合は、照合用データ記憶部５４に記憶している当該操作者データに対応する照合用データの入退室種別が退室であるか否かを判断する（Ｓ２０２，２０３）。入退室種別が退室でなかった、つまり、入室であった場合は、当該操作者データは正当な入退室操作が行われていないと判断して処理を終了する。
【００２１】
ステップ２０３で、当該操作者データに対応する照合用データの入退室種別が退室であた場合は、入室者記憶部５５に記憶している入室者数を確認する（Ｓ２０４，２０５）。いま、管理区域内は無人であり、入室者記憶部５５に記憶されている入室者数は０人であるため、制御部５１は、第１のタイマ５２に起動信号を出力するとともに、第１の操作器１からの操作者データの入力待機状態になる。
【００２２】
第１のタイマ５２は、制御部５１からの起動信号が入力すると、カウントを開始する（Ｓ２０６）。その後、管理区域への入室が認められている入室者であって先の入室者とは異なる者が、予め配布されているカードを第１の操作器１に挿入する。
第１の操作器１は、挿入されたカードに書き込まれた操作者データを読取り、当該操作者データを制御装置５へ出力するとともに当該カードを排出する。
制御装置５の制御部５１は、第１の操作器１からの操作者データが入力すると（Ｓ２０７）、当該操作者データが先に入力した操作者データと一致せずかつ照合用データ記憶部６４に照合用データとして記憶されているか否かを判断する（Ｓ２０８，２０９）。当該操作者デー夕が先に入力した操作者データと一致した場合、または、操作者データが照合用データとして記憶されていなかった場合は、同じ入室者であるまたは当該カードの所有者は入室を許可されていないと判断し、処理を終了する。
【００２３】
なお、制御部５１は、ステップ２０６で第１のタイマに起動信号を出力した後、第１の操作器１からの操作者データが入力せずに第１のタイマ１からのタイムアップ信号が入力した場合（Ｓ２２１）、つまり、第１の操作器１  からの操作者データの入力待機状態にある間（先の入室者の照合操作から１０秒間）に管理区域への入室が認められている入室者であって先の入室者とは異なる者が、予め配布されているカードを第１の操作器１に挿入しなかった場合は、入室者が１人しかいないと判断し処理を終了する。
【００２４】
ステップ２０７で、当該操作者データが先に入力した操作者データと一致せず、かつ、ステップ２０８で、当該操作者データが照合用データとして記憶されていた場合は、照合用データ記憶部５４に記憶している当該操作者データに対応する照合用データの入退室種別が退室であるか否かを判断する（Ｓ２１０、ＳＳ２１１）。入退室種別が退室でなかった、つまり、入室であった場合は、当該操作者データは正当な入退室操作が行われていないと判断して処理を終了する。
【００２５】
ステップ２１１で、当該操作者データに対応する照合用データの入退室種別が退室であった場合は、第１のタイマ５２ヘリセット信号を出力する（Ｓ２１２）とともに、電気錠３へ解錠信号を出力する（Ｓ２１３）。
第１のタイマ５２は、制御部５１からのリセット信号が入力すると、カウントを中止しリセットする。
【００２６】
電気錠３は、制御装置５からの解錠信号が入力すると、解錠状態となる。
第１の操作器１を操作した２人の入室者は、電気錠３が解錠状態になると、管理区域への扉を開放し、管理区域内へ入室し扉を閉める。
扉開閉検出手段４は、扉の開放を検出すると、制御装置５へ開信号を出力する。そして、入室者が扉を閉めると制御装置５へ閉信号を出力する。
【００２７】
制御装置５の制御部５１は、扉開閉検出手段４からの開信号が入力した後、扉開閉検出手段４からの閉信号が入力すると（Ｓ２１４）、電気錠３へ施錠信号を出力する（Ｓ２１５）とともに、第２のタイマ５３ヘリセット信号を出力する（Ｓ２１６）。
電気錠３は、制御装置５からの施錠信号が入力すると、施錠状態となる。
【００２８】
第２のタイマ５３は、制御部５１からのリセット信号が入力すると、カウントを中止しリセットする。
また、制御部５１は、第１の操作器１から入力した２つの操作者データそれぞれに対応する照合用データの入退室種別を入室とするための入室信号を照合用データ記憶部５４へ出力する（Ｓ２１７）とともに、入室者数記憶部５５に記憶している入室者数を読込み、当該入室者数に入室した２人を加算した入室者数を入室者記憶部５５に出力する（Ｓ２１８）。いま、管理区域内は無人であり、入室者記憶部５５に記憶されている入室者数は０人であるため、制御部５１は、入室者記憶部５５に対し入室者数として２人を出力する。
【００２９】
照合用データ記憶部５４は、制御部５１からの入室信号が入力すると、当該照合用データに対応する入退室種別を入室と記憶する。
入室者数記憶部５６は、制御部５１からの入室者数を記憶する。
なお、この時、第２の操作器２からの操作者データの入力を禁止していた場合は（Ｓ２１９）、これを解除し、第２の操作器２からの操作者データの入力を許可する（Ｓ２２０）。
（２  ）管理区域内に入室者がいる場合
管理区域への入室が認められている入室者は、予め配布されているカードを第１の操作器１に挿入する。
【００３０】
第１の操作器１は、挿入されたカードに書き込まれた操作者データを読取り、当該操作者データを制御装置５へ出力するとともに当該カードを排出する。
制御装置５の制御部５１は、第１の操作器１からの操作者データが入力すると（Ｓ１）、まず、当該操作者データが照合用データ記憶部５４に照合用データとして記憶されているか、否かを判断する（Ｓ２０１）。操作者データが照合用データとして記憶されていなかった場合は、当該カードの所有者は入室を許可されていないと判断し、処理を終了する。
【００３１】
ステップ２０１で、操作者データが照合用データとして記憶されていた場合は、照合用データ記憶部５４に記憶している当該操作者データに対応する照合用データの入退室種別が退室であるか否かを判断する（Ｓ２０２，Ｓ２０３）。入退室種別が退室でなかった、つまり、入室であった場合は、当該操作者データは正当な入退室操作が行われていないと判断して処理を終了する。
【００３２】
ステップ２０３で、当該操作者データに対応する照合用データの入退室種別が退室であった場合は、入室者記憶部５５に記憶している入室者数を確認する（Ｓ２０４，Ｓ２０５）。いま、管理区域内にはすでに入室者がおり、入室者記憶部５５に記憶されている入室者数１人以上であるため、制御部５１は、電気錠３へ解錠信号を出力する（Ｓ２１３）。
【００３３】
電気錠３は、制御装置５からの解錠信号が入力すると、解錠状態となる。
第１の操作器１を操作した入室者は、電気錠３が解錠状態になると、管理区域への扉を開放し、管理区域内へ入室し扉を閉める。
扉開閉検出手段４は、扉の開放を検出すると、制御装置５へ開信号を出力する。そして、入室者が扉を閉めると制御装置５へ閉信号を出力する。
【００３４】
制御装置５の制御部５１は、扉開閉検出手段４からの開信号が入力した後、扉開閉検出手段４からの閉信号が入力すると（Ｓ２１４）、電気錠３へ施錠信号を出力する（Ｓ２１５）とともに、第２のタイマ５３ヘリセット信号を出力する（（Ｓ２１６）。
電気錠３は、制御装置５からの施錠信号が入力すると、施錠状態となる。
【００３５】
第２のタイマ５３は、制御部５１からのリセット信号が入力すると、カウントを中止しリセットする。
また、制御部５１は、第１の操作器１から入力した操作者データに対応する照合用データの入退室種別を入室とするための入室信号を照合用データ記憶部５４へ出力する（Ｓ２１７）とともに、入室者数記憶部５５に記憶している入室者数を読込み、当該入室者数に入室した１  人を加算した入室者数を入室者記憶部５５出力する（Ｓ２１８）。例えば、いま、管理区域内に２  人の入室者がいた場合は、入室者記憶部５５に記憶されている入室者数は２人であるため、制御部５１は、入室者記憶部５５に対し入室者数として３  人と出力する。
【００３６】
照合用データ記憶部５４は、制御部５１からの入室信号が入力すると、当該照合用データに対応する入退室種別を入室と記憶する。
入室者数記憶部５５は、制御部５１からの入室者数を記憶する。
なお、この時、第２の操作器２からの操作者データの入力を禁止していた場合は（Ｓ２１９）、これを解除し、第２の操作器２からの操作者データの入力を許可する（Ｓ２２０）。
【００３７】
２．退室時の動作
管理区域からの退室者は、入室時に使用したカードを第２の操作器２に挿入する。
第２の操作器２は、挿入されたカードに書き込まれた操作者データを読取り、当該操作者データを制御装置５へ出力するとともに当該カードを排出する。
【００３８】
制御装置５の制御部５１は、第２の操作器２からの操作者データが入力すると（Ｓ３）、まず、第２の操作器２からの操作者データの入力が禁止されているか否かを判断し（Ｓ４００）、第２の操作器２からの操作者データの入力が禁止されていた場合は、第２の操作器２から操作者データの入力を無効とし、処理を終了する。
【００３９】
ステップ４００で、第２の操作器２からの操作者データの入力が禁止されていなかった場合は、当該操作者データが照合用データ記憶部５４に照合用データとして記憶されているか否かを判断する（Ｓ４０１）。操作者データが照合用データとして記憶されていなかった場合は、当該カードの所有者は退室を許可されていないと判断し、処理を終了する。
【００４０】
ステップ４０１で、操作者データが照合用データとして記憶されていた場合は、照合用データ記憶部５４に記憶している当該操作者データに対応する照合用データの入退室種別が入室であるか否かを判断する（Ｓ４０２，Ｓ４０３）。入退室種別が入室でなかった、つまり、退室であった場合は、当該操作者データは正当な入退室操作が行われていないと判断して処理を終了する。
【００４１】
ステップ２０３で、当該操作者データに対応する照合用データの入退室種別が入室であった場合は、電気錠３へ解錠信号を出力する（Ｓ４０４）。
電気錠３は、制御装置５からの解錠信号が入力すると、解錠状態となる。
第２の操作器２を操作した退室者は、電気錠３が解錠状態になると、管理区域への扉を開放し、管理区域内から退室し扉を閉める。
【００４２】
扉開閉検出手段４は、扉の開放を検出すると、制御装置５へ開信号を出力する。そして、退室者が扉を閉めると制御装置５へ閉信号を出力する。
制御装置５の制御部５１は、扉開閉検出手段４からの開信号が入力した後、扉開閉検出手段４からの閉信号が入力すると（Ｓ４０５）、電気錠３へ施錠信号を出力する（Ｓ４０６）。
【００４３】
電気錠３は、制御装置５からの施錠信号が入力すると、施錠状態となる。
また、制御部５１は、第２の操作器２から入力した操作者データに対応する照合用データの入退室種別を退室とするための退室信号を照合用データ記憶部５４へ出力する（Ｓ４０７）とともに、入室者数記憶部５５に記憶している入室者数を読込み、当該入室者数から退室した１  人を減算した入室者数を入室者記憶部５５に出力する（Ｓ４０８）。例えば、いま、管理区域内に３  人の入室者がいた場合は、入室者記憶部５５に記憶されている入室者数は３人であるため、制御部５１は、入室者記憶部５５に対し入室者数として２人と出力する。
【００４４】
照合用データ記憶部５４は、制御部５１からの退室信号が入力すると、当該照合用データに対応する入退室種別を退出と記憶する。
入室者数記憶部５５は、制御部５１からの入室者数を記憶する。
制御部５１は、ステップ４０８で入室者数記憶部５５に記憶している入室者数から退出者数を減算した結果、入室者数が１人になったか否かを判断し（Ｓ４０９）、入室者数が１人であった場合は、第２のタイマ５３へ起動信号を出力する。  第２のタイマ５３は、制御部５１からの起動信号が入力すると、カウントを開始する（Ｓ４１０）。
【００４５】
制御部５１は、ステップ４０９で入室者数が１人でなかった場合、入室者数が０人になったか否かを判断し（Ｓ４１１）、入室者数が０人であった場合は、第２のタイマ５３へリセット信号を出力する（Ｓ４１２）。
第２のタイマ５３は、制御部５１からのリセット信号が入力すると、カウントを中止しリセットする。
【００４６】
制御部５１は、ステップ４０９で入室者数が１人でないと判断し、かつ、ステップ４１１で入室者数が０人でないと判断した場合は、管理区域内に２人以上の入室者がいると判断して処理を終了する。
３．不正残留者がいる場合の動作
制御装置５の制御部５１は、入室者数が１人になると第２のタイマ５３へ起動信号を出力する（Ｓ４１）。
【００４７】
第２のタイマ５３は、制御部５１からの起動信号が入力すると、カウントを開始する。そして、所定時間（１分間）経過すると、制御部５１ヘタイムアップ信号を出力する。
制御装置５の制御部５１は、第２のタイマ５３からのタイムアップ信号が入力する、つまり、管理区域内の入室者が１人だけの状態が１分間継続した場合は（Ｓ５）、管理区域内に残っている入室者は不正残留者であると判断し、送信装置５へ不正入室者がいることを示す情報および管理区域毎に予め付与されている識別情報を含む警報を出力する（Ｓ６）。また、第２の操作器２からの操作者データの入力を禁止し（Ｓ７）、管理区域内の残留者の退室を禁止し、管理区域内へ残留者を閉じ込める。
【００４８】
送信装置６は、制御装置６からの警報が入力すると、監視装置７との通信回線８の接続動作を行い、監視装置７との間の通信回線８が接続されると、当該警報を監視装置７へ送信する。
監視装置７は、通信回線８を介して送信装置６からの警報を受信すると、当該警報に含まれる識別情報をもとに予め当該識別情報に対応して記憶している管理区域のデータや警報の受信を文字や図により報知する。
【００４９】
【発明の効果】
以上の通り、本発明の入退室管理システムによれば、管理区域内に入室者がいない場合は２人以上でなければ入室できず、しかも管理区域内に入室者が１人だけしかいない状態が一定時間継続すると不正残留者と判断して警報を出力するとともに、入室者を閉じ込めるようにしている。
【００５０】
したがって、管理区域内に入室者が１人だけになることを防ぎ、入室者は他の入室者により常に行動を監視されることになるため、管理区域からの貴重品の不正な持出しおよび管理区域内での不正な作業を防止することができる。
また、貴重品の不正な持出しを監視するために管理区域の出入り口に管理者を配置する必要がないため、コストがかからないシステムを提供することができる。
【００５１】
さらに、管理区域内にすでに入室者がいる場合は、入室者は自分一人の照合を行えば管理区域に入室できるため、２人目以降の入室者については操作を簡略化することができる。
【図面の簡単な説明】
【図１】本発明の入退室管理システムのブロック図である。
【図２】図１における制御装置のメイン動作フローチャートである。
【図３】図１における制御装置の入室時の動作フローチャートである。
【図４】図１  における制御装直の退出時の動作フローチャートである。
【符号の説明】
１  第１の操作器
２  第２の操作器
３  電気錠
４  扉開閉検出手段
５  制御装置
５１制御部
５２  第１のタイマ
５３  第２のタイマ
５４  照合用データ記憶部
５５  入室者数記憶部
６  送信装置
７  監視装置
８  通信回線
【図１】
0003548693.tif 000002
【図２】
0003548693.tif 000003
【図３】
0003548693.tif 000004
【図４】
0003548693.tif 000005